(57)【要約】【課題】伸長するストローを封入したストロー包装体において、ストローの先端近傍を手で直接触れることなく、ストローを伸ばせるようにすることを課題とする。【解決手段】ストロー包装体として、２以上の筒体を先端側がより細い筒体となるように入れ子に形成することで伸長できるストローと、前記ストローを包む細長い筒状の包装袋であって、内部空間が縮んだ状態の前記ストローとほぼ同じ長さを有するとともに、前記ストローの先端側の筒に重なる範囲内に包装袋表面を切り取りやすくする加工が施される包装袋とから構成する。【選択図】  図２
2014046977.tif 000002
【特許請求の範囲】
【請求項１】
２以上の筒体を先端側がより細い筒体となるように入れ子に形成することで伸長できるストローと、
前記ストローを包む細長い筒状の包装袋であって、内部空間が縮んだ状態の前記ストローとほぼ同じ長さを有するとともに、前記ストローの外部に突出している先端側の筒に重なる範囲内に包装袋表面を切り取りやすくする加工が施される包装袋と
を有するストロー包装体。
【請求項２】
前記ストロー包装体において、前記包装袋は側周面に蛇腹が形成され、当該蛇腹が伸びた状態において内部空間が伸びた状態の前記ストローとほぼ同じ長さを有し、当該蛇腹が縮んだ状態において内部空間が縮んだ状態の前記ストローと同じ長さを有するものであって、前記包装袋表面を切り取りやすくする加工が施される範囲は、当該蛇腹と前記ストローとが伸びた状態における前記ストローの外部に突出している先端側の筒に重なる範囲である請求項１に記載のストロー包装体。
【請求項３】
前記包装袋表面を切り取りやすくする加工は、包装袋表面へのミシン目の形成加工である請求項１又は２に記載のストロー包装体。
【発明の詳細な説明】
【技術分野】
【０００１】
本発明は、ストローを包装袋に封入したストロー包装体に関し、特に、ストローが伸長するものに関する。
【背景技術】
【０００２】
近年、飲料用容器には筒体が入れ子構造に形成されることで伸長できるストローが固定されていることが多い。このような伸長できるストローは縮めた状態で細長い包装袋に封入されている。
そして、ストローを封入する包装袋には、通常、ストローの存在する位置よりもさらに先端側にミシン目や縁部の切り欠きなどの切り取りやすくする加工が施されており、使用者は、この部分から包装袋を開くことで、容易にストローを包装袋から取り出すことができる。
【発明の概要】
【発明が解決しようとする課題】
【０００３】
ところで、伸長できるストローは包装袋から取り出した後、手で伸ばす必要があるが、この際、ストローの先端近傍を触ることになる。そうすると、先端からある程度離れたところを触っても、飲料用容器にストローを入れると、必ず、手で触った部分は飲料内に浸かることとなり、衛生上好ましくない。
本発明は、このような問題に鑑みて、伸長するストローを封入したストロー包装体において、ストローの先端近傍を手で直接触れることなく、ストローを伸ばせるようにすることを課題とする。
【課題を解決するための手段】
【０００４】
上記課題を解決するために、本発明は次のような構成を有する。
請求項１に記載の発明は、２以上の筒体を先端側がより細い筒体となるように入れ子に形成することで伸長できるストローと、前記ストローを包む細長い筒状の包装袋であって、内部空間が縮んだ状態の前記ストローとほぼ同じ長さを有するとともに、前記ストローの外部に突出している先端側の筒に重なる範囲内に包装袋表面を切り取りやすくする加工が施される包装袋とを有するストロー包装体である。
請求項２に記載の発明は、前記ストロー包装体において、前記包装袋は側周面に蛇腹が形成され、当該蛇腹が伸びた状態において内部空間が伸びた状態の前記ストローとほぼ同じ長さを有し、当該蛇腹が縮んだ状態において内部空間が縮んだ状態の前記ストローと同じ長さを有するものであって、前記包装袋表面を切り取りやすくする加工が施される範囲は、当該蛇腹と前記ストローとが伸びた状態における前記ストローの外部に突出している先端側の筒に重なる範囲である請求項１に記載のストロー包装体。
請求項３に記載の発明は、前記ストロー包装体において、前記包装袋表面を切り取りやすくする加工を、包装袋表面へのミシン目の形成加工としたものである。
【発明の効果】
【０００５】
請求項１に記載の発明は、先端側の筒に重なる範囲において包装袋表面を切り取りやすくする加工が施されるので、この部分で包装袋を切り離すと、包装袋の先端側はストローの先端側の筒の先端側を覆うこととなるので、この包装袋の先端側の上からストローの先端側の筒を持ってストローを伸ばせば、ストローの先端側に直接触れることなくストローを伸ばすことができる。
請求項２に記載の発明は、包装袋がストローに合わせて伸びるので、ストローを伸ばした状態で包装袋のストローの先端側の筒に重なる範囲を切り取ることができる。これにより、包装袋を切り取る際に、ストローが伸びることがないので、切り取り作業をより容易かつ確実に行うことができる。
請求項３に記載の発明は、ミシン目により包装袋表面を切り取りやすくすると、包装袋をストローの長手方向に引張ることで包装袋を切り取ることができるので、包装袋の側縁に切り欠きや切り込みを設ける場合に比較して、包装袋の途中からの切断が比較的容易に行える。
【図面の簡単な説明】
【０００６】
【図１】実施形態１に係るストロー包装体を示す斜視図である。
【図２】（ａ）は、実施形態１に係るストロー包装体の最初の状態の断面図であり、（ｂ）は実施形態１に係るストロー包装体の包装袋を切り取った状態の断面図である。
【図３】（ａ）は実施形態２に係るストロー包装体を示す斜視図であり、（ｂ）は実施形態２に係るストロー包装体のストローと包装袋を伸ばした状態を示す斜視図である。
【図４】（ａ）は、実施形態２に係るストロー包装体の最初の状態の断面図であり、（ｂ）は、実施形態２に係るストロー包装体のストローと包装袋を伸ばした状態の断面図であり、（ｃ）は実施形態２にストロー包装体の包装袋を切り取った状態の断面図である。
【発明を実施するための最良の形態】
【０００７】
以下、本発明の実施の形態について、図面を参照しながら説明する。
（実施形態１）
図１に実施形態１に係るストロー包装体Ｘの斜視図を示す。ストロー包装体Ｘは、ストロー１０と包装袋２０とから構成される。ストロー１０は、先端側の筒体１１とこれよりもやや太い後端側の筒体１２とを入れ子にすることで伸縮するように形成された公知のストローである。
包装袋２０は、縮めた状態のストロー１０とほぼ同じ内部空間を有する包装袋であり、合成樹脂の筒体の両開口端を熱融着により閉じたものである。そして、包装袋２０にの外表面には、ストロー１０を封入した状態でストロー１０の先端側の筒体１１に重なり、先端側で包装袋２０とともにストロー１０の先端側を摘めるような範囲に全周に渡って切り取りやすくするために、ミシン目２１が形成されている。
【０００８】
次に、以上のような構成を有するストロー包装体Ｘの使用方法を説明する。当初は図２（ａ）の断面図に示すように、縮んだ状態のストロー１０が包装袋２０内に収まっている。なお、断面図は便宜上包装袋のみの断面図を示す。この状態で使用者は、包装袋２０のミシン目２１を境として包装袋２０の上からストロー１０の先端側の筒体１１と後端側の筒体１２とを左右の手の指でそれぞれ挟むようにして掴む。この状態でストロー１０を伸ばすように引っ張ると、包装袋２０はミシン目２１で分断して切り取られ、ストロー１０が伸びきると図２（ｂ）のような状態となる。この状態となったら、まず、包装袋２０の後端側をストロー１０から外して捨て、ストロー１０の先端側の筒体１１の根元部分を持つ。次に、包装袋２０の切り取られた先端側を捨て、ストロー１０の先端を飲料用容器などに指し込む。このように、本実施形態に係るストロー包装体Ｘは、ストロー１０に直接触れることなく、ストロー１０を伸ばし、さらに、ストロー１０の先端側の筒体１１の根元のみを持ってストロー１０を飲料用容器に指し込むことができる。
【０００９】
（実施形態２）
図３（ａ）に実施形態２に係るストロー包装体Ｙの斜視図を示す。ストロー包装体Ｙは、ストロー１０と包装袋３０とから構成される。ストロー１０は、実施形態１に係るストロー包装体Ｘのストロー１０と同じ公知のストローである。
包装袋３０は、実施形態１に係るストロー包装体Ｘの包装袋２０と異なり、側面に蛇腹３２が形成されることで、包装袋３０も伸びることができる点である。そして、蛇腹３２を縮めた状態では、図３（ａ）に示すように包装袋３０の内部空間は縮めたストロー１０とほぼ同じ長さとなり、蛇腹３２を伸ばした状態では、図３（ｂ）に示すように包装袋３０の内部空間は伸ばしたストロー１０とほぼ同じ長さとなる。また、包装袋３０のミシン目３１は、蛇腹３２及びストロー１０を伸ばした状態において、ストロー１０の先端側の筒体１１に重なる範囲に設けられる。なお、ここでは蛇腹３２及びストロー１０を縮めた状態においては、ミシン目３１は先端側の筒体１１に重ならないが、蛇腹３２及びストロー１０を縮めた状態においてにおいてもミシン目３１は先端側の筒体１１に重なるようにしてもよい。
【００１０】
次に、以上のような構成を有するストロー包装体Ｙの使用方法を説明する。当初は図４（ａ）の断面図に示すように、縮んだ状態のストロー１０が縮んだ状態の包装袋３０内に収まっている。この状態で使用者は、蛇腹３２を境にして包装袋３０の上からストロー１０の先端側の筒体１１と後端側の筒体１２とを左右の手の指でそれぞれ挟むようにして掴む。この状態でストロー１０と蛇腹３２を伸ばすように引っ張ると図４（ｂ）の断面図に示すように包装袋３０は切り取られることなく、伸びたストロー１０を封入したまま長く伸びた状態となる。次に、後端側を持つ指の力をやや緩めて、後端側は包装袋３０部分のみをさらに引っ張るようにすると、包装袋３０はミシン目３１で分断して切り取られ、図４（ｃ）に示すように包装袋３０の後端側がストロー１０に対してスライドしてストロー１０の先端側の筒体１１が表出する。その後、分離した包装袋３０の後端側を捨て、表出するストロー１０の先端側の筒体１１の根元を持ち、次に、包装袋３０の先端側を捨てて、ストロー１０の先端を飲料用容器に差し込む。このように、本実施形態に係るストロー包装体Ｙは、ストロー１０に直接触れることなく、ストロー１０を伸ばし、さらに、ストロー１０の先端側の筒体１１の根元のみを持ってストロー１０を飲料容器に差し込むことができる。さらに、ストロー１０を伸ばす動作と、包装袋３０を切り取る操作とを分けて行えるので、それぞれの操作をより確実に行うことができる。
【００１１】
なお、上記実施形態では、包装袋を切り取りやすく加工として全周に渡ってミシン目を形成したが、切り取りやすくする加工として、包装袋の側縁に切れ目や切り欠きを設けたり、無数の微細な穴を全周に渡って形成したり、切り取る部分を全周に渡って薄くなるようにしたり等、種々の加工方法を採用することができる。
【符号の説明】
【００１２】
Ｘ、Ｙ  ストロー包装体
１０  ストロー
１１  先端側の筒体
１２  後端側の筒体
２０、３０  包装袋
２１、３１  ミシン目
３２  蛇腹
【図１】
2014046977.tif 000003
【図２】
2014046977.tif 000004
【図３】
2014046977.tif 000005
【図４】
2014046977.tif 000006